(57)【要約】【課題】  サイズの異なるごみ容器を所定の位置に保持することが可能なごみ容器用スタンドを提供すること。【解決手段】  挿入されたごみ容器Ｂを保持可能なごみ容器受容部１Ｄを有するごみ容器用スタンドＡであって、ごみ容器Ｂの挿入方向と直交する方向において、ごみ容器受容部１Ｄの中心を挟んで対向するとともに、ごみ容器Ｂをごみ容器受容部１Ｄの中心へと付勢する１対以上の挟持部材２を備えている。【選択図】  図１
2006160374.tif 000002
【特許請求の範囲】
【請求項１】
挿入されたごみ容器を保持可能なごみ容器受容部を有するごみ容器用スタンドであって、
上記ごみ容器の挿入方向と直交する方向において、上記ごみ容器受容部の中心を挟んで対向するとともに、上記ごみ容器を上記ごみ容器受容部の中心へと付勢する１対以上の挟持部材を備えていることを特徴とする、ごみ容器用スタンド。
【請求項２】
上記各挟持部材は、上記ごみ容器の挿入方向奥方に向かうほど、上記ごみ容器受容部の中心に向かって偏倚するように傾斜している、請求項１に記載のごみ容器用スタンド。
【請求項３】
上記各挟持部材は、上記ごみ容器受容部の中心側に膨出する円弧状とされたワイヤである、請求項１または２に記載のごみ容器用スタンド。
【請求項４】
複数の車輪が設けられていることにより、ごみ容器用台車として構成されている、請求項１ないし３のいずれかに記載のごみ容器用スタンド。
【請求項５】
互いに上下方向に離間配置された矩形枠状の上フレームおよび下フレームと、
それぞれが上記上フレームおよび上記下フレームの四隅どうしを連結する断面円形状の４つの支柱とを備えており、
上記上フレームは、上記１対の挟持部材が取り付けられているとともに、上記ごみ容器受容部の挿入口を形成している、請求項１ないし４のいずれかに記載のごみ容器用スタンド。
【請求項６】
上下方向軸廻りに回動可能な４つの車輪が上記下フレームの下面に設けられていることにより、ごみ容器用台車として構成されているとともに、
各車輪は、上記下フレームの各隅部から上記下フレームの各辺に沿って同一の周回方向に離間した位置に設けられている、請求項５に記載のごみ容器用スタンド。
【発明の詳細な説明】
【技術分野】
【０００１】
本発明は、ごみ容器用スタンドに関する。
【背景技術】
【０００２】
従来のごみ容器用スタンドの一例としては、図９に示されたものがある。同図に示されたごみ容器用スタンド９１は、平面矩形状とされた３つのごみ容器受容部９３が形成された載置部９２を有しており、この載置部９２の下面に４つの車輪９４が設けられていることによりごみ容器用台車として構成されている。ごみ容器受容部９３は、ごみ容器９５の本体部９５ａの外寸と同等か若干大きい程度の大きさとされている。ごみ容器９５を上方から各ごみ容器受容部９３内に挿入することにより、ごみ容器９５をごみ容器用スタンド９１に載置することができる。このようなごみ容器用スタンド９１によれば、最大で３つのごみ容器９５を所定の間隔をおいて整列させた姿勢で配置することが可能である。また、車輪９４を利用して３つのごみ容器９５をごみ容器用スタンド９１と一体的に移動させることができる。
【０００３】
しかしながら、ごみ容器受容部９３の内寸よりもごみ容器９５の外寸が著しく小さいと、ごみ容器９５とごみ容器受容部９３との間に大きな隙間が生じる。このようなことでは、ごみ容器受容部９３内におけるごみ容器９５の位置や姿勢が一定とならず、隙間が許す範囲でごみ容器９５がごみ容器受容部９３内でずれ動くこととなり、３つのごみ容器９５を所定の間隔をおいて整列させた姿勢で配置することができない。複数のごみ容器９５が不揃いに配置されていると、これらのごみ容器９５がおかれた場所全体としても、煩雑な印象を与えてしまう。また、車輪９４を利用してごみ容器用スタンド９１を移動させる場合には、ごみ容器９５が転倒するおそれがある。これらの不具合は、さまざまなサイズのごみ容器９５に合わせて、ごみ容器受容部９３のサイズが互いに異なるごみ容器用スタンド９１を複数種類準備することで解消することもできるが、非常に不便である。
【０００４】
【特許文献１】特開２００２−２２６００４号公報
【発明の開示】
【発明が解決しようとする課題】
【０００５】
本発明は、上記した事情のもとで考え出されたものであって、サイズの異なるごみ容器を所定の位置に保持することが可能なごみ容器用スタンドを提供することをその課題としている。
【課題を解決するための手段】
【０００６】
上記課題を解決するため、本発明では、次の技術的手段を講じている。
【０００７】
本発明によって提供されるごみ容器用スタンドは、挿入されたごみ容器を保持可能なごみ容器受容部を有するごみ容器用スタンドであって、上記ごみ容器の挿入方向と直交する方向において、上記ごみ容器受容部の中心を挟んで対向するとともに、上記ごみ容器を上記ごみ容器受容部の中心へと付勢する１対以上の挟持部材を備えていることを特徴としている。
【０００８】
このような構成によれば、上記１対以上の挟持部材が及ぶ範囲において、ごみ容器を挟むようにして保持することができる。したがって、１つのごみ容器用スタンドにより、互いにサイズの異なる複数のごみ容器を保持することができる。また、サイズの異なるごみ容器を、上記ごみ容器受容部の中心に位置するように保持することも可能である。
【０００９】
本発明の好ましい実施の形態においては、上記各挟持部材は、上記ごみ容器の挿入方向奥方に向かうほど、上記ごみ容器受容部の中心に向かって偏倚するように傾斜している。このような構成によれば、ごみ容器を挿入する際に、ごみ容器の下端が上記挟持部材に当接した後は、ごみ容器をこの挟持部材に沿って上記ごみ容器受容部の中心へと案内しつつ大きな抵抗を伴わずに挿入することができる。したがって、ごみ容器を上記ごみ容器受容部の中心に位置するように保持するのに適している。
【００１０】
本発明の好ましい実施の形態においては、上記各挟持部材は、上記ごみ容器受容部の中心側に膨出する円弧状とされたワイヤである。このような構成によれば、ごみ容器が挿入された際に大きな弾性付勢力を発生させることが可能であり、ごみ容器を適切に保持することができる。
【００１１】
本発明の好ましい実施の形態においては、複数の車輪が設けられていることによりごみ容器用台車として構成されている。このような構成によれば、ごみ容器をごみ容器用スタンドと一体的に移動させることが可能であり、便利である。
【００１２】
本発明の好ましい実施の形態においては、互いに上下方向に離間配置された矩形枠状の上フレームおよび下フレームと、それぞれが上記上フレームおよび上記下フレームの四隅どうしを連結する断面円形状の４つの支柱とを備えており、上記上フレームは、上記１対の挟持部材が取り付けられているとともに、上記ごみ容器受容部の挿入口を形成している。このような構成によれば、ごみ容器用スタンドを複数用意し、これらのごみ容器用スタンドどうしを隣接させると、それぞれの上記支柱どうしが隣接する。断面円形状である上記支柱は、たとえばジョイントを用いて容易に連結することが可能である。したがって、複数のごみ容器用スタンドを連結させて、複数のごみ容器を保持するといった使用が容易である。
【００１３】
本発明の好ましい実施の形態においては、上下方向軸廻りに回動可能な４つの車輪が上記下フレームの下面に設けられていることにより、ごみ容器用台車として構成されているとともに、各車輪は、上記下フレームの各隅部から上記下フレームの各辺に沿って同一の周回方向に離間した位置に設けられている。このような構成によれば、複数のごみ容器用スタンドを連結させて使用する場合であっても、隣り合うごみ容器用スタンドの車輪どうしが不当に干渉することを防止することができる。
【００１４】
本発明のその他の特徴および利点は、添付図面を参照して以下に行う詳細な説明によって、より明らかとなろう。
【発明を実施するための最良の形態】
【００１５】
以下、本発明の好ましい実施の形態につき、図面を参照して具体的に説明する。
【００１６】
図１ないし図３は、本発明に係るごみ容器用スタンドの一例を示している。図１に示すように、ごみ容器用スタンドＡは、本体１、ワイヤ２、および車輪４を備えており、移動可能なごみ容器用台車として構成されている。
【００１７】
本体１は、上フレーム１Ａ、下フレーム１Ｂ、および４つの支柱１Ｃからなり、全体として直方体形状とされている。本体１により囲まれた直方体形状の空間は、ごみ容器Ｂの本体Ｂａを受容可能なごみ容器受容部１Ｄとなっている。
【００１８】
上フレーム１Ａおよび下フレーム１Ｂは、長短一対ずつの角パイプ１１，１２が４つのパイプジョイント１３により連結された矩形枠構造となっている。角パイプ１１，１２は、たとえば鉄製であり、パイプジョイント１３は、たとえば樹脂製である。角パイプ１１，１２とパイプジョイント１３との連結は、パイプジョイント１３の突出部（図示略）を角パイプ１１，１２の端部に押入することによりなされている。下フレーム１Ｂには、２つのごみ容器受け部材１４が１対の角パイプ１１を連結するように設けられている。
【００１９】
支柱１Ｃは、上フレーム１Ａと下フレーム１Ｂとを上下方向において離間するように連結している。上フレーム１Ａおよび下フレーム１Ｂそれぞれのパイプジョイント１３のうち上下方向において対向するものどうしが、支柱１Ｃにより連結されている。支柱１Ｃとパイプジョイント１３との連結は、たとえばパイプジョイント１３に設けられた上下方向の貫通孔（図示略）に上方または下方から皿ねじ（図示略）を挿通させ、支柱１Ｃの両端面に形成されたねじ孔（図示略）にこの皿ねじを螺合させることによりなされている。
【００２０】
１対のワイヤ２は、ばね鋼からなり、それぞれ円弧形状とされている。図２に示すように、１対のワイヤ２は、ごみ容器受容部１Ｄの中心を挟んで離間するように上フレーム１Ａの１対の角パイプ１２に取り付けられている。各ワイヤ２は、平面視において先端部２ａがごみ容器受容部１Ｄの中心に向けて膨出した形状とされている。各ワイヤ２の両端には、環状部２ｂが形成されている。また、図３に示すように、先端部２ａを含む円弧状の部分と環状部２ｂとの間には屈曲部２ｃが形成されている。各ワイヤ２は、環状部２ｂに挿通されたトラスねじ３が角パイプ１２のねじ孔（図示略）に螺合されることにより、上フレーム１Ａの下面に取り付けられている。これにより、各ワイヤ２は、先端部２ａが下方寄りに位置するように斜め下方向に傾斜した姿勢となっている。１対のワイヤ２は、本発明でいう１対の挟持部材の一例に相当する。
【００２１】
下フレーム１Ｂの下面には、４つの車輪４が設けられている。図２に示すように、各車輪４は、上下方向を軸として回動可能である。これにより、ごみ容器用スタンドＡは、所望の方向に移動可能とされている。各車輪４は、下フレーム１Ｂの各パイプジョイント１３から角パイプ１１，１２に沿ってシフトした位置に配置されている。各車輪４が各パイプジョイント１３からシフトする方向は、このごみ容器用スタンドＡの中心に対して図中反時計回りの方向に揃えられている。
【００２２】
次にごみ容器用スタンドＡの使用方法について、以下に説明する。
【００２３】
図３に示すように、ごみ容器Ｂの本体Ｂａを上方からごみ容器用スタンドＡのごみ容器受容部１Ｄに挿入する。この際、本体Ｂａの下端は、上フレーム１Ａを通過して１対のワイヤ２に当接する。ごみ容器Ｂは使用者が手作業で挿入するために、ごみ容器Ｂはごみ容器用スタンドＡに対して図中左右方向において若干ずれた位置に挿入されることが多い。このような場合であっても、ごみ容器Ｂは、斜め下方向に傾斜した１対のワイヤ２に沿って挿入されることにより、ごみ容器用スタンドＡの中心へと案内されることとなる。さらに、ごみ容器Ｂを下方へと挿入すると、１対のワイヤ２は、先端に荷重を受けた片持ち梁のように円弧状に曲げ変形を生じる。また、これと同時に、各ワイヤ２は、先端部２ａがごみ容器Ｂの本体Ｂａに押し広げられるようにして、この先端部２ａが外方に変位するように弾性変形する。これらの曲げ変形および弾性変形により、ごみ容器Ｂには、ごみ容器受容部１Ｄの中心へと弾性付勢力が負荷される。この結果、ごみ容器Ｂの下端がごみ容器受け部材１４に当接するまでごみ容器Ｂの挿入がなされると、ごみ容器Ｂはごみ容器受容部１Ｄの中心において保持される。さらに、ごみ容器Ｂが取り除かれると、ばね鋼からなるワイヤ２は、ごみ容器Ｂが挿入される前の状態（図３において実線で描かれた状態）へと、即座に復帰する。このため、ワイヤ２を備える構成は、ごみ容器Ｂを繰り返し出し入れする使用に適している。
【００２４】
図４は、大小２種類のごみ容器Ｂが保持された状態を示している。本図から理解されるように、１対のワイヤ２は、ごみ容器Ｂのサイズに応じて傾き角度が変更されるとともに、円弧形状とされた部分が適宜弾性変形する。これにより、ごみ容器Ｂには、ごみ容器受容部１Ｄの中心へと向かう付勢力が作用する。この結果、ごみ容器Ｂは、常にごみ容器用スタンドＡの中心において保持される。
【００２５】
本実施形態によれば、様々なサイズのごみ容器Ｂを保持可能である。１対のワイヤ２がごみ容器Ｂのサイズに応じて適宜変形しつつ、ごみ容器Ｂをごみ容器受容部１Ｄの中心に位置するように保持することができる。すなわち、１対のワイヤ２の変形可能な範囲であれば、断面のサイズが上フレーム１Ａの内寸程度の大きめのごみ容器Ｂから、１対のワイヤ２の先端部２ａ間の距離よりも若干大きい程度の小さめのごみ容器Ｂまでを適切に保持することができる。したがって、１つのごみ容器用スタンドＡを準備しておけば、複数種類のごみ容器Ｂを用途に応じて使い分けることが可能であり、便利である。また、著しくサイズの異なるごみ容器Ｂを使い分ける場合であっても、従来のごみ容器用スタンドと比べて、少ない個数のごみ容器用スタンドＡによって対応することができる。
【００２６】
上述したように、保持可能なサイズのごみ容器Ｂであれば、これをごみ容器受容部１Ｄの中心に位置させることができる。たとえば、図１に示すようにごみ容器Ｂが下方から上方へと広がるようなテーパ形状であっても、蓋Ｂｂの端部をごみ容器用スタンドＡから水平方向に突出させないか、または突出する部分を最小とすることができる。したがって、ごみ容器用スタンドＡを壁などに沿わせて配置してもごみ容器Ｂがこの壁と干渉することを抑制できる。
【００２７】
図５ないし図７は、複数のごみ容器用スタンドＡを互いに連結させて使用する例を示している。
【００２８】
図５に示した使用例においては、３つのごみ容器用スタンドＡが用いられている。３つのごみ容器用スタンドＡは、平面視における長手方向に並んで配置されている。隣接するごみ容器用スタンドＡどうしの連結は、スタンドジョイントＣを用いてなされている。スタンドジョイントＣは、たとえば樹脂製であり、２つの円弧状クランプ部を有する形状とされている。本図の要部拡大断面図に示すように、隣接するごみ容器用スタンドＡの支柱１Ｃどうしが、スタンドジョイントＣの各円弧状クランプ部に抱きかかえられるようにして、連結されている。
【００２９】
このような使用例によれば、複数のごみ容器Ｂを整列して配置することができる。また、サイズの異なるごみ容器Ｂを並べて配置できることも、もちろんである。さらに、各ごみ容器用スタンドＡにおいては、４つの車輪４が上述したようにシフトした配置とされていることにより、隣接するごみ容器用スタンドＡの車輪４どうしが不当に干渉することを適切に回避可能である。
【００３０】
図６に示す使用例においては、４つのごみ容器用スタンドＡが、平面視における短手方向に並んで配置されている。隣接するごみ容器用スタンドＡの連結方法は、図５に示した使用例と同様である。このような使用例によっても、複数のごみ容器Ｂを整列して配置させることができる。短手方向に並べれば、同じ長さにより多くのごみ容器用スタンドＡを配置することができる。これは、たとえば、所定長さの壁Ｗに沿って、ごみ容器用スタンドＡを配置するのに適している。上述したように、ごみ容器用スタンドＡによれば、図１に示すような形状のごみ容器Ｂを保持させても、蓋Ｂｂの端部が大きく突出することがない。このため、ごみ容器Ｂと壁Ｗとが干渉することを回避可能である。
【００３１】
図７に示した使用例においては、４つのごみ容器用スタンドＡが、Ｌ字状に配置されている。このような使用例によれば、柱ＣＬの周辺に無駄なスペースを生じさせないように効率よくごみ容器Ｂを配置することができる。
【００３２】
図５ないし図７に示したいずれの使用例においても、車輪４を利用して、複数のごみ容器用スタンドＡと、これらに保持された複数のごみ容器Ｂを一体的に移動させることが可能であり、便利である。
【００３３】
図８は、本発明に係るごみ容器用スタンドＡの変形例を示している。この例においては、ワイヤ２が、略矩形状とされている点が、上述した実施形態と異なっている。このワイヤ２は、ばね鋼からなり、斜め下方に延びる側辺２ｅと、ごみ容器受容部１Ｄの中心寄りに位置する直線状の先端部２ｄとを有する。このような実施形態によっても、サイズの異なるごみ容器Ｂを適切に保持することが可能である。ワイヤ２としては、図１ないし図３に示した実施形態のような円弧形状であれば、この円弧部がより扁平となるような弾性変形が生じやすく、ごみ容器Ｂへの付勢力を発生させやすい。しかしながら、図８に示す矩形状のワイヤ２によっても、ごみ容器Ｂが挿入されるにつれてワイヤ２が円弧状にしなるように曲げ変形することにより、付勢力をごみ容器Ｂへと作用させることが可能である。さらに、先端部２ｄがごみ容器Ｂに対して、線状に接触することとなるために、ごみ容器Ｂの回転防止に有利である。
【００３４】
本発明に係るごみ容器用スタンドは、上述した実施形態に限定されるものではない。本発明に係るごみ容器用スタンドの各部の具体的な構成は、種々に設計変更自在である。
【００３５】
ワイヤの形状は、円弧形状または矩形状に限定されず、ごみ容器に付勢力を作用させることが可能な形状であればよい。また、１対の挟持部材としては、ばね鋼からなるワイヤに限定されず、ばね鋼からなる金属板、弾性に富む樹脂製の線材および板材など、弾性付勢力を発生可能な部材であればよい。
【００３６】
１対のワイヤによってもごみ容器を保持可能であるが、さらに、２対のワイヤを互いに直交する配置として設けても良い。このような構成によれば、ごみ容器をごみ容器受容部の中心に位置させる効果を高めることができる。また、断面円形のごみ容器を保持するのにも適している。
【００３７】
ごみ容器用スタンドの本体としては、上下フレームと支柱とからなるフレーム構造のものに限定されない。ごみ容器を保持可能なごみ容器受容部を適切に形成できるものであれば、たとえば板材を組み合わせた箱状構造であってもよい。
【００３８】
ごみ容器用スタンドとしては、車輪を備えたごみ容器用台車として構成されたものが便利であるが、これに限定されず、車輪を備えない固定式のごみ容器用スタンドであっても、本発明の意図する効果を発揮できることはもちろんである。
【図面の簡単な説明】
【００３９】
【図１】本発明に係るごみ容器用スタンドの一例を示す全体斜視図である。
【図２】本発明に係るごみ容器用スタンドの一例を示す全体平面図である。
【図３】図２のＩＩＩ−ＩＩＩ線に沿う断面図である。
【図４】本発明に係るごみ容器用スタンドの使用例を示す断面図である。
【図５】本発明に係るごみ容器用スタンドを複数用いた使用例を示す全体平面図およびその要部拡大断面図である。
【図６】本発明に係るごみ容器用スタンドを複数用いた使用例を示す全体平面図である。
【図７】本発明に係るごみ容器用スタンドを複数用いた使用例を示す全体平面図である。
【図８】本発明に係るごみ容器用スタンドの変形例を示す要部斜視図である。
【図９】従来のごみ容器用スタンドの一例を示す全体斜視図である。
【符号の説明】
【００４０】
Ａ        ごみ容器用スタンド
Ｂ        ごみ容器
Ｃ        スタンドジョイント
１        本体
１Ａ      上フレーム
１Ｂ      下フレーム
１Ｃ      支柱
１Ｄ      ごみ容器受容部
２        ワイヤ
２ａ      先端部
２ｂ      環状部
２ｃ      屈曲部
３        トラスねじ
４        車輪
１１，１２  角パイプ
１３      パイプジョイント
【図１】
2006160374.tif 000003
【図２】
2006160374.tif 000004
【図３】
2006160374.tif 000005
【図４】
2006160374.tif 000006
【図５】
2006160374.tif 000007
【図６】
2006160374.tif 000008
【図７】
2006160374.tif 000009
【図８】
2006160374.tif 000010
【図９】
2006160374.tif 000011